(57)【要約】【課題】床上熱効率が向上すると共に、施工が容易であり作業工数を削減できる蓄熱ユニット及び床暖房パネル構造体を提供することを目的とする。【解決手段】面状発熱体４と蓄熱材５とを積層状に有する蓄熱積層体２と、蓄熱積層体２の下面２ａを受ける底壁部１０及び蓄熱積層体２の周縁部２ｂを受ける周囲壁部１１を有する断熱材３と、を具備するものである。【選択図】  図１
2004239492.tif 000002
【特許請求の範囲】
【請求項１】
面状発熱体と蓄熱材とを積層状に有する蓄熱積層体と、該蓄熱積層体の下面を受ける底壁部及び該蓄熱積層体の周縁部を受ける周囲壁部を有する断熱材と、を具備することを特徴とする蓄熱ユニット。
【請求項２】
上面側に床材が敷設される平板部材と、該平板部材の下面に平行に並設される複数本の根太部材と、該根太部材間に配設される蓄熱ユニットと、を具備し、上記蓄熱ユニットは、面状発熱体と蓄熱材とを積層状に有する蓄熱積層体と、該蓄熱積層体の下面を受ける底壁部及び該蓄熱積層体の周縁部を受ける周囲壁部を有する断熱材と、を有することを特徴とする床暖房パネル構造体。
【発明の詳細な説明】
【０００１】
【発明の属する技術分野】
本発明は、床暖房用の蓄熱ユニット及び床下材の大引部材間に配設される床暖房パネル構造体に関する。
【０００２】
【従来の技術】
一般家庭用の床暖房装置としては、「大引部材」と呼ばれる床下梁部材に、「根太部材」と呼ばれる床下梁部材が大引部材と直交するよう組まれており、施工場所において、根太部材の間にヒータ・蓄熱材・断熱材でユニット化させた蓄熱ユニットを複数組み入れるタイプのものがあった（例えば、特許文献１参照）。
この蓄熱ユニット（床暖房装置）は、上面側にフローリング材等の床材が敷設される平板部材の下面側に配設されるもので、（上から）面状のヒータ、蓄熱材、断熱材と重ねて配設されるものである。即ち、平板状の断熱材が、根太部材間を下から施蓋するように構成されており、その断熱材によりヒータ、蓄熱材を下から支える構造となっている。この際、断熱材に釘やネジ等の固定手段が打ちつけられて、平板部材や根太部材等と固定されている。
また、平板部材と、平板部材の下面に並設される複数本の根太部材とを備える床パネルは、従来より使用されているが、この床パネルは、大引部材の上に並べられ、その上にフローリング材等を貼るという床下地材としての役割しか持たなかった。
【０００３】
【特許文献１】
特開２０００−１８６８２５号公報
【０００４】
【発明が解決しようとする課題】
従来の床暖房装置において、平板状の断熱材によりヒータ、蓄熱材を下から支えているが、断熱材の厚さが薄いため断熱材における釘やネジ等の固定が不十分となってしまう。また、蓄熱材はある程度重さがあるため、この薄い断熱材では釘等により支えきれず、断熱材が釘から抜け出て蓄熱ユニットが落下してしまうおそれがあり、釘やネジの数を増やす必要があった。また、この釘等の打ちつけ（取付）作業において、蓄熱材に傷をつけないよう注意が必要で手間がかかり、作業性が悪かった。
また、根太部材間の寸法はその場所により若干異なることがあり、断熱材が根太部材間に配設されても、断熱材と根太部材との間に隙間が生じる場合があった。従って、ヒータによる熱がその隙間から逃げることとなり、熱効率を悪くするという問題点があった。さらに、ヒータからの熱が根太部材の側面側から根太部材に伝って、根太部材の下面から放熱することとなり、床上熱効率を下げる要因となっていた。
【０００５】
そこで本発明は、床上熱効率が向上すると共に、施工が容易であり取付作業工数を削減できる蓄熱ユニット及び床暖房パネル構造体を提供することを目的とする。
【０００６】
【課題を解決するための手段】
上述の目的を達成するために、本発明に係る蓄熱ユニットは、面状発熱体と蓄熱材とを積層状に有する蓄熱積層体と、該蓄熱積層体の下面を受ける底壁部及び該蓄熱積層体の周縁部を受ける周囲壁部を有する断熱材と、を具備するものである。
上述の目的を達成するために、本発明に係る床暖房パネル構造体は、上面側に床材が敷設される平板部材と、該平板部材の下面に平行に並設される複数本の根太部材と、該根太部材間に配設される蓄熱ユニットと、を具備し、上記蓄熱ユニットは、面状発熱体と蓄熱材とを積層状に有する蓄熱積層体と、該蓄熱積層体の下面を受ける底壁部及び該蓄熱積層体の周縁部を受ける周囲壁部を有する断熱材と、を有するものである。
【０００７】
【発明の実施の形態】
以下、図示の実施の形態に基づき、本発明を詳説する。
【０００８】
図１は、本発明の蓄熱ユニット組立前の斜視図であり、図２は蓄熱ユニット組立後の断面図を示す。そして、図３は、この蓄熱ユニットが根太部材７，７間に配設された状態の側部断面図を示している。
本発明に係る蓄熱ユニット１は、図３に示すように、上面側にフローリング材等の床材が敷設される平板部材６の下面６ｂ側に平行に並設された根太部材７…の間に、根太部材７の側面と近接するように配設されるものである。
そして、この蓄熱ユニット１は通電ＯＮ／ＯＦＦにより発熱・放熱を行うもので、床暖房の暖房効果を発生させるものである。
【０００９】
蓄熱ユニット１は、面状発熱体４と面状発熱体４の上面及び／又は下面に隣接（付設）する蓄熱材５とを有する蓄熱積層体２と、蓄熱積層体２を付設する断熱材３と、を具備して一体もの（ユニット化）としている。図１〜図３では、蓄熱積層体２は、蓄熱材５の上面側に面状発熱体４が重なるよう配設されている。
そして断熱材３は、図１に示すように、蓄熱積層体２の下面２ａを受ける底壁部１０、及び、蓄熱積層体２の周縁部（側面部）２ｂを受ける（囲む）周囲壁部１１を有している。
【００１０】
即ち、断熱材３は、水平面矩形板状の底壁部１０の外周部（四辺）上面側に、鉛直面壁状の周囲壁部１１を有しており、浅皿形状を成している。従って、断熱材３の側面乃至正面からの断面図は凹型となり、この凹部９に蓄熱積層体２を装入している。
また、この凹部９の深さ（周囲壁部１１の高さ）は、蓄熱積層体２の厚さと略同一乃至僅かに深く（高く）設定しており、周囲壁部１１の天端面と蓄熱積層体２の上面とが、略面一となるよう設定されている。
【００１１】
従って、図２に示すように、断熱材３が、蓄熱積層体２（面状発熱体４及び蓄熱材５）の下面２ａ及び周縁部２ｂを完全に囲む状態となる。これにより、蓄熱積層体２からの熱が側方乃至底部へ逃げることを確実に防止できる。
なお、蓄熱積層体２において、面状発熱体４と蓄熱材５の上下配置は変更自在であり、さらに、面状発熱体４の上下両面に蓄熱材５，５を付設してもよい。
【００１２】
次に断熱材３の外形状について説明すると、図３に示すように、幅寸法は床下部材である根太部材７，７間の寸法と同一乃至僅かに小さく設定され、（図示省略の）長さ寸法は、根太部材７の長手方向の寸法と略同一としている。また、断熱材３の高さ寸法は、根太部材７の高さ寸法と略同一に設定されており、断熱材３の外形寸法が、蓄熱ユニット１の外形寸法となる。
【００１３】
なお、図示省略するが、蓄熱積層体２にシート材を含ませてもよい。このシート材は、平板部材６と面状発熱体４の間の熱伝導を制御するためのものであり、例えば、アルミのような熱伝導率が大きい金属製シートにより作製されている。
これにより、面状発熱体４からの熱を平板部材６にムラなく均等に伝達させることができる。
【００１４】
蓄熱材５は、図１に示すように、断熱材３の凹部９に装着されるよう、凹部９に対応した形状で板状である。
面状発熱体４は、通電により発熱するヒータで、形状は蓄熱材５（断熱材３の凹部９）に対応したもので、矩形の板状であり、ケーブル（リード線）１２が接続されている。
そして、蓄熱材５と、面状発熱体４と、断熱材３とが、両面粘着テープ等を使用して接着されて一体ものとされ、蓄熱ユニット１を構成している。
【００１５】
図３は蓄熱ユニット１が、平板部材６の下面側において根太部材７，７間に配設された状態を示し、この蓄熱ユニット１は、平板部材６に固定部材１３により固定されている。図３においては、固定部材１３を釘としているが、他に、ネジ（ビス）等を使用すればよい。具体的に説明すると、釘（固定部材１３）は蓄熱ユニット１の下面側から、蓄熱ユニット１の底壁部１０及び周囲壁部１１を貫通し、平板部材６に打ちつけられている。即ち、蓄熱ユニット１（断熱材３）は、釘等の固定部材１３が断熱材３の周囲壁部１１を通過して平板部材６に打ちつけられて、固定されている。つまり、断熱材３は周囲壁部１１により肉厚（嵩高）となるため、釘等の固定部材１３の断熱材３を通過する掛止有効長さ（釘と断熱材３との接触長さ）が、底壁部１０のみを貫通する場合と比べて大きくなり、釘等の固定部材１３による保持力が増大し、蓄熱ユニット１の固定が確実なものとなる。
【００１６】
さらに、この周囲壁部（縁部）１１に固定部材１３を上下方向通過させることにより、この固定部材１３が蓄熱積層体２に接触することがなく、釘などによる平板部材６への打ちつけの際、蓄熱積層体２に傷を付けることがない。従って、この周囲壁部１１を固定用部材（固定用フランジ部）として使用可能となり、蓄熱積層体２の縁部に釘等の固定部材１３が接触する心配が無いため、蓄熱積層体２の縦横寸法を、断熱材３の凹部９の縦横寸法と略同一とすることができ、蓄熱積層体２の実効（有効）面積を拡大させることができる。なお、本発明においては、この周囲壁部１１の厚さＴ（図１）を１０ｍｍ程度としている。
また、この固定部材１３による固定は、平板部材６のみならず、根太部材７に打ちつけてもよい。
【００１７】
次に、図４は、上述の蓄熱ユニット１を備える床暖房パネル構造体の斜視図であり、大引部材（床下梁部材）８に布設された状態を示している。
この床暖房パネル構造体Ｐは、平行に布設された大引部材８，８の間乃至上面に設置されるものであって、敷板となる平板部材６と、複数の根太部材７…と、複数の蓄熱ユニット１…と、が一体化されたパネル構造体である。
【００１８】
さらに説明すると、床暖房パネル構造体Ｐは、縦横所定の寸法に形成されると共に上面６ａ側に合板やフローリング材等の床材が敷設される平板部材６と、平板部材６の下面６ｂに平行に等ピッチで並設（固定）される複数本の根太部材７…と、平板部材６の下面６ｂ側であって根太部材７，７間に配設される蓄熱ユニット１と、を備えている。
また、図示省略するが、さらに、複数の根太部材７…の下面の略全面と蓄熱ユニット１の下面の略全面に当接するように断熱パネル材を、足し張りするよう配設してもよい。これにより、蓄熱ユニット１の下面及び根太部材７の下面からの放熱を防ぎ、床上熱効率をさらに向上させることができる。
【００１９】
この床暖房パネル構造体Ｐが具備する複数の蓄熱ユニット１は、上述の蓄熱ユニット１と同様であり、図１〜図３に示すように、面状発熱体４及び面状発熱体４の上面及び／又は下面に隣接する蓄熱材５を有する蓄熱積層体２と、蓄熱積層体２の下面２ａを受ける底壁部１０及び蓄熱積層体２の周縁部２ｂを受ける周囲壁部１１を有する断熱材３と、を有するものである。
【００２０】
平板部材６は、矩形乃至正方形の合板からなるもので、根太部材７は、床下材として一般的に使用される角材によるもので、平板部材６の一辺と等しい長さとし、平板部材６の端辺部から等間隔に複数（本発明では３本）付設されている。なお、本発明の図例においては、床暖房パネル構造体Ｐの複数の根太部材７…において、両側方部の根太部材７，７のうち一方を省略し（図４のように仮想根太部材７′とし）ている。
【００２１】
具体的に説明すると、図４に示すように、最も右側の根太部材が省略された形式となるが、これは、床暖房パネル構造体Ｐが連続して配設されるため、隣（右側）に配設される床暖房パネル構造体Ｐ′の左端の根太部材７′が（左側の）床暖房パネル構造体Ｐの省略された部分へ組み込まれることとなる。即ち、右側の床暖房パネル構造体Ｐ′の根太部材７′が左側の床暖房パネル構造体Ｐの仮想根太部材７′とされ、床暖房パネル構造体Ｐが構成されている。これにより、根太部材７の数を不要に増やさずに済む。
【００２２】
さらに、平板部材６の一端部（辺）は、根太部材７の上面の長手方向略中心線上に沿って配設され、平板部材６の対向する反対側の他端部（辺）は、仮想根太部材７′の上面の長手方向略中心線上に沿って配設されるよう構成されている。
即ち、床暖房パネル構造体Ｐの両側接続部は、オフセットが設けられた状態となり、隣に配設される床暖房パネル構造体Ｐの設置が容易となるとともに、隣り合う床暖房パネル構造体Ｐ，Ｐに隙間が生じることがない。
【００２３】
そして、平板部材６と根太部材７は適所において釘やネジで連結され、蓄熱ユニット１は、上述と同様の（図３に示す）形式により、固定部材１３により固定される。これにより、確実に床暖房パネル構造体Ｐがパネル体として形成される。
また図示省略するが、蓄熱ユニット１は他の固定治具を介在させて、根太部材７に固定してもよい。
【００２４】
上記断熱材３の材質としては、ウレタンやスチレンによる発泡プラスチック等であり、成形性に優れるとともに、断熱効果が優れており、また、施工に際し、断熱材３の変形がある程度自在であるため、根太部材７，７の間に接触状に配設させることが容易である。これにより、根太部材７及び蓄熱ユニット１からの放熱をさらに防ぐことが可能となる。
【００２５】
また、本発明の床暖房パネル構造体Ｐにおいて、根太部材７及び蓄熱ユニット１を夫々三個としており、床暖房パネル構造体Ｐの重さを軽くしているため、施工場所での作業性を向上させている。
【００２６】
【発明の効果】
本発明は上述の構成により次のような効果を奏する。
【００２７】
（請求項１によれば）蓄熱積層体２からの熱を下面２ａ側乃至周縁部２ｂ側から外部へ逃がすことを確実に防ぐことが可能となる。従って施工に際し、根太部材７との間に隙間が生じても、その隙間から熱が逃げることがなく、床上熱効率を向上させることができる。
さらに、断熱材３の周囲壁部１１を固定用部材として使用可能となり、当該周囲壁部１１に釘等の固定部材１３を打ちつけて平板部材６等に固定できるため、蓄熱ユニットの固定作業が容易となり、さらに、釘などが底壁部１０のみを貫通する場合と比べて掛止有効長さ（釘と断熱材３との接触長さ）が大きくなり、蓄熱ユニットの固定が確実なものとできる。
【００２８】
（請求項２によれば）床下地材としての機能と蓄熱式床暖房としての機能とを簡単な構成により、しかもコンパクトでありながら、発揮させることができる。
また、床暖房パネル構造体が一体物であるため、床暖房の施工は大引部材８の上に、この床暖房パネル構造体を次々と載せていくのみであり、従来から必要であった床下地材の施工と略同程度の作業により、床暖房の設備を組み込ませることが可能である。
さらに、蓄熱積層体２からの熱を下面２ａ側乃至周縁部２ｂ側から外部へ逃がすことを確実に防ぐことが可能となり、床上熱効率を向上させることができる。
さらに、断熱材３の周囲壁部１１を固定用部材として使用可能となり、当該周囲壁部１１に釘等の固定部材１３を打ちつけて平板部材６等に固定できるため、床暖房パネル構造体Ｐの作製が容易となる。さらに、釘などが底壁部１０のみを貫通する場合と比べて掛止有効長さ（釘と断熱材３との接触長さ）が大きくなり、蓄熱ユニット１の固定が確実なものとできる。
【図面の簡単な説明】
【図１】本発明の蓄熱ユニットの組立前の斜視図である。
【図２】蓄熱ユニットの断面図である。
【図３】蓄熱ユニットが根太部材間に固定された状態を示す側面図である。
【図４】床暖房パネル構造体が大引部材間に設置された状態の斜視図である。
【符号の説明】
１  蓄熱ユニット
２  蓄熱積層体
２ａ  下面
２ｂ  周縁部
３  断熱材
４  面状発熱体
５  蓄熱材
６  平板部材
７  根太部材
１０  底壁部
１１  周囲壁部
【図１】
2004239492.tif 000003
【図２】
2004239492.tif 000004
【図３】
2004239492.tif 000005
【図４】
2004239492.tif 000006